(57)【要約】  【課題】  多室空気調和機において、周波数変更時に、上昇・下降のいずれの変更かの判断が出来ず、入力電流上限値と入力電流との差により周波数変更幅上限値を一義的に算出していることから、入力電流上限値近傍での運転時で、要求能力変化に応じた周波数変更ができず、冷房時には圧縮機吸入圧力および蒸発温度の異常上昇、暖房時には圧縮機吐出圧力および凝縮温度ならびに入力電流の異常上昇が発生するという課題を有していた。  【解決手段】  多室空気調和機の運転時に、現在周波数検知手段と目標周波数演算手段と周波数変更方向検知手段より、周波数変更時に変更の上昇・下降を識別し、上昇時と下降時に個別の周波数変更幅上限値を決める。【選択図】  図１
2005114305.tif 000002
【特許請求の範囲】
【請求項１】
能力可変型圧縮機、室外側熱交換機、室外側ファン、室外側膨張弁、四方弁、前記能力可変型圧縮機を駆動するインバータ回路を搭載した室外機と、室内側熱交換機、室内側ファン、室内側膨張弁とからなる複数台の室内機を接続して冷凍サイクルを構成するマルチ式多室空気調和機において、現在周波数検知手段、目標周波数演算手段、周波数変更方向検知手段、周波数変更幅上限値演算手段とからなる制御装置を備え、周波数変更時に上昇変更時と下降変更時を識別し上昇変更時と下降変更時に個別の周波数変更幅上限値を決定することを特徴とした多室空気調和機。
【請求項２】
周波数上昇変更時に現在周波数でしきい値を設け、個別の周波数変更幅上限値を決めることを特徴とした、請求項１記載の多室空気調和機。
【請求項３】
運転モード検知手段、外気温度検知手段を備え、周波数上昇変更時に運転モードと外気温度を入力として現在周波数でしきい値を設け、個別の周波数変更幅上限値を決めることを特徴とした請求項１〜２のいずれかに記載の多室空気調和機。
【請求項４】
運転モード検知手段、室外熱交換器温度検知手段を備え、冷房運転時の周波数上昇変更時に運転モードと室外熱交換器温度を入力として現在周波数でしきい値を設け、個別の周波数変更幅上限値を設定することを特徴とした、請求項１〜２のいずれかに記載の多室空気調和機。
【請求項５】
運転モード検知手段、吐出圧力検知手段を備え、周波数上昇変更時に運転モードと吐出圧力を入力として現在周波数でしきい値を設け、個別の周波数変更幅上限値を設定することを特徴とした、請求項１〜２のいずれかに記載の多室空気調和機。
【請求項６】
運転モード検知手段、室内熱交換器温度検知手段を備え、暖房運転時の周波数上昇変更時に運転モードと室内熱交換器温度を入力として現在周波数でしきい値を設け、個別の周波数変更幅上限値を設定することを特徴とした、請求項１〜２のいずれかに記載の多室空気調和機。
【請求項７】
運転モード検知手段、室外熱交換器温度検知手段を備え、暖房運転時の周波数上昇変更時に運転モードと室外熱交換器温度を入力として現在周波数でしきい値を設け、個別の周波数変更幅上限値を設定することを特徴とした、請求項１〜２のいずれかに記載の多室空気調和機。
【請求項８】
運転モード検知手段、吸入圧力検知手段を備え、暖房運転時の周波数上昇変更時に運転モードと吸入圧力を入力として現在周波数でしきい値を設け、個別の周波数変更幅上限値を設定することを特徴とした、請求項１〜２のいずれかに記載の多室空気調和機。
【発明の詳細な説明】
【技術分野】
【０００１】
本発明は、複数台の室内機を接続して冷凍サイクルを構成し、暖房または冷房運転を行うマルチ式多室空気調和機に関するものである。
【背景技術】
【０００２】
従来のこの種の多室空気調和機の制御方法は、図９のフローチャートに示すように、圧縮機を駆動するインバータの入力電流を電流センサーにより検出し、入力電流上限値と入力電流との差分により周波数変更幅上限値を算出し周波数変更幅を決定して圧縮機の能力制御を行っていた（例えば、特許文献１参照）。
【特許文献１】特開２０００―２４１００１号公報
【発明の開示】
【発明が解決しようとする課題】
【０００３】
しかしながら、上記従来の構成では、多室空気調和機の圧縮機能力制御において、周波数の変更が上昇方向の変更か下降方向の変更かの判断が出来ず、入力電流上限値と入力電流との差により周波数変更幅上限値を一義的に算出していることから、入力電流上限値近傍での運転時で多室空気調和機特有の室内機運転台数変化による圧縮機要求能力変化時に、周波数上昇時は周波数変更幅を小さくし入力電流上限値付近で能力制御ができるものの、周波数下降時に要求能力変化に応じた周波数変更ができず、冷房時には圧縮機吸入圧力の異常上昇、蒸発温度の異常上昇、暖房時には圧縮機吐出圧力の異常上昇、凝縮温度の異常上昇、入力電流の異常上昇が発生するという課題を有していた。
【０００４】
本発明はこのような従来の課題を解決するもので、現在周波数検知手段と目標周波数演算手段と周波数変更方向検知手段より、周波数変更時に上昇変更か下降変更かを識別し、上昇時と下降時に個別の周波数変更幅上限値を決めることにより、上昇時には入力電流上限値近傍で圧縮機を能力制御することができ下降時には要求能力変化に応じた周波数変更をなす事ができる多室空気調和機を提供する事を目的とする。
【０００５】
また、周波数上昇変更時に現在周波数でしきい値を設けることにより、上昇時の低周波数域では要求能力変化に応じた周波数変更幅に設定することができ高周波数域では入力電流上限値近傍で圧縮機を能力制御する周波数変更幅に設定できる多室空気調和機を提供する事を目的とする。
【０００６】
また、運転モード検知手段と外気温度検知手段を備えることで、周波数上昇変更時に運転モードと外気温度を入力として現在周波数でしきい値を設けることにより、冷凍サイクルの過負荷低負荷に応じたしきい値を設定することができ、上昇時のしきい値より小さい場合は要求能力変化に応じた周波数変更幅に設定することができ、しきい値より大きい場合は入力電流上限値近傍で圧縮機を能力制御する周波数変更幅に設定できる多室空気調和機を提供する事を目的とする。
【０００７】
また、運転モード検知手段と室外熱交換器温度検知手段を備えることで、冷房運転時の周波数上昇変更時に運転モードと室外熱交換器温度を入力として現在周波数でしきい値を設けることにより、凝縮温度に応じたしきい値を設定することができ、上昇時のしきい値より小さい場合は要求能力変化に応じた周波数変更幅に設定することができ、しきい値より大きい場合は凝縮温度上限値近傍で圧縮機を能力制御する周波数変更幅に設定できる多室空気調和機を提供する事を目的とする。
【０００８】
また、運転モード検知手段と吐出圧力検知手段を備えることで、周波数上昇変更時に運転モードと吐出圧力を入力として現在周波数でしきい値を設けることにより、吐出圧力に応じたしきい値を設定することができ、上昇時のしきい値より小さい場合は要求能力変化に応じた周波数変更幅に設定することができ、しきい値より大きい場合は吐出圧力上限値近傍で圧縮機を能力制御する周波数変更幅に設定できる多室空気調和機を提供する事を目的とする。
【０００９】
また、運転モード検知手段と室内熱交換器温度検知手段を備えることで、暖房運転時の周波数上昇変更時に運転モードと室内熱交換器温度を入力として現在周波数でしきい値を設けることにより、室内熱交換器温度に応じたしきい値を設定することができ、上昇時のしきい値より小さい場合は要求能力変化に応じた周波数変更幅に設定することができ、しきい値より大きい場合は室内熱交換器温度上限値近傍で圧縮機を能力制御する周波数変更幅に設定できる多室空気調和機を提供する事を目的とする。
【００１０】
また、運転モード検知手段と室外熱交換器温度検知手段を備えることで、暖房運転時の周波数上昇変更時に運転モードと室外熱交換器温度を入力として現在周波数でしきい値を設けることにより、室外熱交換器温度に応じたしきい値を設定することができ、上昇時のしきい値より小さい場合は要求能力変化に応じた周波数変更幅に設定することができ、しきい値より大きい場合は室外熱交換器温度下限値近傍で圧縮機を能力制御する周波数変更幅に設定できる多室空気調和機を提供する事を目的とする。
【００１１】
また、運転モード検知手段と吸入圧力検知手段を備えることで、暖房運転時の周波数上昇変更時に運転モードと吸入圧力を入力として現在周波数でしきい値を設けることにより、吸入圧力に応じたしきい値を設定することができ、上昇時のしきい値より小さい場合は要求能力変化に応じた周波数変更幅に設定することができ、しきい値より大きい場合は室内熱交換器温度上限値近傍で圧縮機を能力制御する周波数変更幅に設定できる多室空気調和機を提供する事を目的とする。
【課題を解決するための手段】
【００１２】
上記課題を解決するために本発明の多室空気調和機は、現在周波数検知手段と目標周波数演算手段と周波数変更方向検知手段より構成され、周波数変更時に上昇変更か下降変更かを識別し、上昇時と下降時に個別の周波数変更幅上限値を決めるものである。
【００１３】
これによって、上昇時には入力電流上限値近傍で圧縮機を能力制御することができ下降時には要求能力変化に応じた周波数変更を行うことができる。
【発明の効果】
【００１４】
本発明の多室空気調和機は、圧縮機周波数変更時の、上昇時には入力電流上限値近傍で圧縮機を能力制御することができ下降時には要求能力変化に応じた周波数変更ができるという効果を奏する。
【００１５】
また、圧縮機周波数変更時の、上昇時の低周波数域では要求能力変化に応じた周波数変更幅に設定することができ高周波数域では入力電流上限値近傍で圧縮機を能力制御する周波数変更幅に設定ができるという効果を奏する。
【００１６】
また、圧縮機周波数変更時に、冷凍サイクルの過負荷低負荷に応じたしきい値を現在周波数により設定することができ、上昇時のしきい値より小さい場合は要求能力変化に応じた周波数変更幅に設定することができ、しきい値より大きい場合は入力電流上限値近傍で圧縮機を能力制御する周波数変更幅に設定ができるという効果を奏する。
【００１７】
また、冷房運転の圧縮機周波数変更時に、凝縮温度に応じたしきい値を現在周波数により設定することができ、上昇時のしきい値より小さい場合は要求能力変化に応じた周波数変更幅に設定することができしきい値より大きい場合は凝縮温度上限値近傍で圧縮機を能力制御する周波数変更幅に設定ができるという効果を奏する。
【００１８】
また、圧縮機周波数変更時に、吐出圧力に応じたしきい値を現在周波数により設定することができ、上昇時のしきい値より小さい場合は要求能力変化に応じた周波数変更幅に設定することができしきい値より大きい場合は吐出圧力上限値近傍で圧縮機を能力制御する周波数変更幅に設定ができるという効果を奏する。
【００１９】
また、暖房運転の圧縮機周波数変更時に、室内熱交換器温度に応じたしきい値を現在周波数により設定することができ、上昇時のしきい値より小さい場合は要求能力変化に応じた周波数変更幅に設定することができしきい値より大きい場合は室内熱交換器温度上限値近傍で圧縮機を能力制御する周波数変更幅に設定ができるという効果を奏する。
【００２０】
また、暖房運転の圧縮機周波数変更時に、蒸発温度に応じたしきい値を現在周波数により設定することができ、上昇時のしきい値より小さい場合は要求能力変化に応じた周波数変更幅に設定することができしきい値より大きい場合は蒸発温度下限値近傍で圧縮機を能力制御する周波数変更幅に設定ができるという効果を奏する。
【００２１】
また、暖房運転の周波数上昇変更時に運転モードと吸入圧力を入力として現在周波数でしきい値を現在周波数により設けることにより、吸入圧力に応じたしきい値を設定することができ、上昇時のしきい値より小さい場合は要求能力変化に応じた周波数変更幅に設定ができしきい値より大きい場合は吸入圧力下限値近傍で圧縮機を能力制御する周波数変更幅に設定ができるという効果を奏する。
【発明を実施するための最良の形態】
【００２２】
第１の発明は、能力可変型圧縮機、室外側熱交換機、室外側ファン、室外側膨張弁、四方弁、前記能力可変型圧縮機を駆動するインバータ回路を搭載した室外機と、室内側熱交換機、室内側ファン、室内側膨張弁とからなる複数台の室内機を接続して冷凍サイクルを構成するマルチ式多室空気調和機において、現在周波数検知手段、目標周波数演算手段、周波数変更方向検知手段、周波数変更幅上限値演算手段とからなる制御装置を備え、周波数変更時に上昇変更時と下降変更時を識別し上昇変更時と下降変更時に個別の周波数変更幅上限値を決定するもので、圧縮機周波数変更時の、上昇時には入力電流上限値近傍で圧縮機を能力制御することができ下降時には要求能力変化に応じた周波数変更ができる。
【００２３】
第２の発明は、周波数上昇変更時に現在周波数でしきい値を設け、個別の周波数変更幅上限値を決めるもので、上昇時の低周波数域では要求能力変化に応じた周波数変更幅に設定することができ高周波数域では入力電流上限値近傍で圧縮機を能力制御する周波数変更幅に設定できる。
【００２４】
第３の発明は、運転モード検知手段、外気温度検知手段を備え、周波数上昇変更時に運転モードと外気温度を入力として現在周波数でしきい値を設け、個別の周波数変更幅上限値を決めるもので、冷凍サイクルの過負荷低負荷に応じたしきい値を設定することができ、上昇時のしきい値より小さい場合は要求能力変化に応じた周波数変更幅に設定することができしきい値より大きい場合は入力電流上限値近傍で圧縮機を能力制御する周波数変更幅に設定できる。
【００２５】
第４の発明は、運転モード検知手段、室外熱交換器温度検知手段を備え、冷房運転時の周波数上昇変更時に運転モードと室外熱交換器温度を入力として現在周波数でしきい値を
設け、個別の周波数変更幅上限値を設定するもので、冷房運転時、凝縮温度に応じたしきい値を設定することができ、上昇時のしきい値より小さい場合は要求能力変化に応じた周波数変更幅に設定することができしきい値より大きい場合は凝縮温度上限値近傍で圧縮機を能力制御する周波数変更幅に設定できる。
【００２６】
第５の発明は、運転モード検知手段、吐出圧力検知手段を備え、周波数上昇変更時に運転モードと吐出圧力を入力として現在周波数でしきい値を設け、個別の周波数変更幅上限値を設定するもので、吐出圧力に応じたしきい値を設定することができ、上昇時のしきい値より小さい場合は要求能力変化に応じた周波数変更幅に設定することができしきい値より大きい場合は吐出圧力上限値近傍で圧縮機を能力制御する周波数変更幅に設定できる。
【００２７】
第６の発明は、運転モード検知手段、室内熱交換器温度検知手段を備え、暖房運転時の周波数上昇変更時に運転モードと室内熱交換器温度を入力として現在周波数でしきい値を設け、個別の周波数変更幅上限値を設定するもので、暖房運転時、室内熱交換器温度すなわち凝縮温度に応じたしきい値を設定することができ、上昇時のしきい値より小さい場合は要求能力変化に応じた周波数変更幅に設定することができしきい値より大きい場合は室内熱交換器温度上限値近傍で圧縮機を能力制御する周波数変更幅に設定できる。
【００２８】
第７の発明は、運転モード検知手段、室外熱交換器温度検知手段を備え、暖房運転時の周波数上昇変更時に運転モードと室外熱交換器温度を入力として現在周波数でしきい値を設け、個別の周波数変更幅上限値を設定するもので、暖房運転時、室外熱交換器温度すなわち蒸発温度に応じたしきい値を設定することができ、上昇時のしきい値より小さい場合は要求能力変化に応じた周波数変更幅に設定することができしきい値より大きい場合は蒸発温度下限値近傍で圧縮機を能力制御する周波数変更幅に設定できる。
【００２９】
第８の発明は、運転モード検知手段、吸入圧力検知手段を備え、暖房運転時の周波数上昇変更時に運転モードと吸入圧力を入力として現在周波数でしきい値を設け、個別の周波数変更幅上限値を設定するもので、暖房運転時、吸入圧力に応じたしきい値を設定することができ、上昇時のしきい値より小さい場合は要求能力変化に応じた周波数変更幅に設定することができしきい値より大きい場合は吸入圧力下限値近傍で圧縮機を能力制御する周波数変更幅に設定できる。
【００３０】
以下、本発明の実施の形態について図面を参照して説明する。なお、この実施の形態によって本発明が限定されるものではない。
【００３１】
（実施の形態１）
図１は、本発明の実施の形態1における、多室空気調和機の制御方法の冷凍サイクル図である。図１において、冷凍サイクルは、室外機１６の能力可変型圧縮機１、室外熱交換器２、室外ファン３、室外膨張弁4、四方弁５と、多室からなる室内機１０の、個々室内熱交換器７、個々室内ファン８、個々室内膨張弁９とから構成されており冷房運転時には同図矢印の方向に冷媒が流れるようになっている。また、室外機１６には、能力可変型圧縮機1を駆動するインバータ回路６と、現在周波数検知手段１１、目標周波数演算手段１２、周波数変更方向検知手段１３、周波数変更幅上限値演算手段１４からなる制御装置１５が構成されている。
【００３２】
図２は、本実施の形態における多室空気調和機の制御方法のフローチャートを示した図である。図２において、圧縮機周波数能力制御２１は、現在周波数検知手段１１、目標周波数演算手段１２、周波数変更方向検知手段１３、周波数変更幅上限値演算手段１４、周波数変更値２８より構成されている。
図１及び図２より圧縮機運転能力制御方法の動作について説明する。
能力可変型圧縮機1の周波数変更時、現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、上昇方向の変更時は周波数上昇変更幅上限値演算手段１４ａで周波数上昇変更幅上限値を決定し、この周波数上昇変更幅上限値より小さい値で周波数変更値２８を決定する。また、下降方向の変更時は周波数下降変更幅上限値演算手段１４ｂで周波数下降変更幅上限値を決定し、この周波数下降変更幅上限値より小さい値で周波数変更値２８を決定する。
【００３３】
上記のことより、上昇時には入力電流上限値近傍で圧縮機を能力制御することができ下降時には要求能力変化に応じた周波数変更を行うことができる。
【００３４】
（実施の形態２）
図３は本実施の形態における多室空気調和機の制御方法のフローチャートを示した図である。図３において、図１および図２と同じ構成要素については同じ符号を用い、説明を省略する。圧縮機周波数能力制御２１は、周波数変更方向判断手段２５、現在周波数をしきい値と比較して大きいか小さいかを判断する手段３１、しきい値より小さい現在周波数での周波数上昇変更幅上限値ａ演算手段３３、しきい値より大きい現在周波数での周波数上昇変更幅上限値ｂ演算手段３４、周波数変更値３５より構成されている。
【００３５】
図１及び図３より圧縮機運転能力制御方法の動作について説明する。能力可変型圧縮機1の周波数変更時、現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、周波数変更方向判断手段２５で判断して、上昇方向の変更時は、現在周波数によりしきい値３１を設定して、現在周波数がしきい値より小さい場合は周波数上昇変更幅上限値ａ演算３３で算出し、現在周波数がしきい値より大きい場合は周波数上昇変更幅上限値ｂ演算３４で算出して周波数上昇変更幅上限値決定し、この周波数上昇変更幅上限値より小さい値で周波数変更値２８を決定する。
【００３６】
上記請求項第２の圧縮機周波数制御によって、現在周波数によりしきい値を設定することにより、上昇時の低周波数域では要求能力変化に応じた周波数変更幅に設定することができ高周波数域では入力電流上限値近傍で圧縮機を能力制御する周波数変更幅に設定できる。
【００３７】
（実施の形態３）
図４は本実施の形態における多室空気調和機の制御方法のフローチャートを示した図である。図４において、図１および図２、図３と同じ構成要素については同じ符号を用い、説明を省略する。圧縮機周波数能力制御２１は、運転モード検知手段４１、外気温度検知手段４２、運転モードと外気温度を入力としてしきい値を演算する手段４３、現在周波数をしきい値と比較して大きいか小さいかを判断する手段４４、しきい値より小さい現在周波数での周波数上昇変更幅上限値ａ演算手段４５、しきい値より大きい現在周波数での周波数上昇変更幅上限値ｂ演算手段４６、周波数変更値４８より構成されている。
【００３８】
図１及び図４より圧縮機運転能力制御方法の動作について説明する。能力可変型圧縮機1の周波数変更時、運転モード検知４１により現在の運転モードを認識し、外気温度検知４２にて外気温度を認識する。現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、周波数変更方向判断手段２５で判断して、上昇方向の変更時は、運転モードと外気温度を入力としてしきい値を演算する手段４３によりしきい値を設定し、現在周波数をしきい値と比較して大きいか小
さいかを判断する手段４４により判断し、現在周波数がしきい値より小さい場合は周波数上昇変更幅上限値ａ演算４５で算出し、現在周波数がしきい値より大きい場合は周波数上昇変更幅上限値ｂ演算４６で算出して周波数上昇変更幅上限値決定し、この周波数上昇変更幅上限値より小さい値で周波数変更値２８を決定する。
【００３９】
上記のことより、冷凍サイクルの過負荷低負荷に応じたしきい値を設定することができ、上昇時のしきい値より小さい場合は要求能力変化に応じた周波数変更幅に設定することができ、しきい値大きい場合は入力電流上限値近傍で圧縮機を能力制御する周波数変更幅に設定できる。
【００４０】
（実施の形態４）
図５は本実施の形態における多室空気調和機の制御方法のフローチャートを示した図である。図５において、図１および図２、図３、図４と同じ構成要素については同じ符号を用い、説明を省略する。圧縮機周波数能力制御２１は、室外熱交換器温度検知手段５１、運転モードと室外熱交換器温度を入力としてしきい値を演算する手段５２、現在周波数をしきい値と比較して大きいか小さいかを判断する手段５３、しきい値より小さい現在周波数での周波数上昇変更幅上限値ａ演算手段５４、しきい値より大きい現在周波数での周波数上昇変更幅上限値ｂ演算手段５５、周波数変更値４７より構成されている。
【００４１】
図１及び図５より圧縮機運転能力制御方法の動作について説明する。能力可変型圧縮機1の周波数変更時、運転モード検知４１により現在の運転モードを認識し冷房運転時に、室外熱交換器温度検知手段５１にて室外熱交換器温度を認識する。現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、周波数変更方向判断手段２５で判断して、上昇方向の変更時は、運転モードと室外熱交換器温度を入力としてしきい値を演算する手段５２によりしきい値を設定し、現在周波数をしきい値と比較して大きいか小さいかを判断する手段５３により判断し、現在周波数がしきい値より小さい場合は周波数上昇変更幅上限値ａ演算５４で算出し、現在周波数がしきい値より大きい場合は周波数上昇変更幅上限値ｂ演算５５で算出して周波数上昇変更幅上限値決定し、この周波数上昇変更幅上限値より小さい値で周波数変更値５７を決定する。
【００４２】
上記のことより、冷房運転時、凝縮温度に応じたしきい値を設定することができ、上昇時のしきい値より小さい場合は要求能力変化に応じた周波数変更幅に設定することができしきい値より大きい場合は凝縮温度上限値近傍で圧縮機を能力制御する周波数変更幅に設定できる。
【００４３】
（実施の形態５）
図６は本実施の形態における多室空気調和機の制御方法のフローチャートを示した図である。図６において、図１および図２、図３、図４と同じ構成要素については同じ符号を用い、説明を省略する。圧縮機周波数能力制御２１は、吐出圧力検知手段６１、運転モードと吐出圧力を入力としてしきい値を演算する手段６２、現在周波数をしきい値と比較して大きいか小さいかを判断する手段６３、しきい値より小さい現在周波数での周波数上昇変更幅上限値ａ演算手段６４、しきい値より大きい現在周波数での周波数上昇変更幅上限値ｂ演算手段６５、周波数変更値６７より構成されている。
【００４４】
図１及び図６より圧縮機運転能力制御方法の動作について説明する。能力可変型圧縮機1の周波数変更時、運転モード検知４１により現在の運転モードを認識し、吐出圧力検知手段６１にて吐出圧力を認識する。現在周波数検知手段１１により現在周波数を認識し、目標周波数演算手段１２で目標周波数を演算する。この目標周波数演算結果が現在周波数に
対して上昇変更か下降変更かを周波数変更方向検知手段１３で識別し、周波数変更方向判断手段２５で判断して、上昇方向の変更時は、運転モードと吐出圧力を入力としてしきい値を演算する手段６２によりしきい値を設定し、現在周波数をしきい値と比較して大きいか小さいかを判断する手段６３により判断し、現在周波数がしきい値より小さい場合は周波数上昇変更幅上限値ａ演算６４で算出し、現在周波数がしきい値より大きい場合は周波数上昇変更幅上限値ｂ演算６５で算出して周波数上昇変更幅上限値決定し、この周波数上昇変更幅上限値より小さい値で周波数変更値６７を決定する。
【００４５】
上記のことより、吐出圧力に応じたしきい値を設定することができ、上昇時のしきい値より小さい場合は要求能力変化に応じた周波数変更幅に設定することができしきい値より大きい場合は吐出圧力上限値近傍で圧縮機を能力制御する周波数変更幅に設定できる。
【００４６】
（実施の形態６）
図７は本実施の形態における多室空気調和機の制御方法のフローチャートを示した図である。図７において、図１および図２、図３、図４と同じ構成要素については同じ符号を用い、説明を省略する。圧縮機周波数能力制御２１は、室内熱交換器温度検知手段７１、運転モードと室内熱交換器温度を入力としてしきい値を演算する手段７２、現在周波数をしきい値と比較して大きいか小さいかを判断する手段７３、しきい値より小さい現在周波数での周波数上昇変更幅上限値ａ演算手段７４、しきい値より大きい現在周波数での周波数上昇変更幅上限値ｂ演算手段７５、周波数変更値７７より構成されている。
【００４７】
図１及び図７より圧縮機運転能力制御方法の動作について説明する。能力可変型圧縮機1の周波数変更時、運転モード検知４１により現在の運転モードを認識し暖房運転時、室内熱交換器温度検知手段７１にて室内熱交換器温度を認識する。現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、周波数変更方向判断手段２５で判断して、上昇方向の変更時は、運転モードと室内熱交換器温度を入力としてしきい値を演算する手段７２によりしきい値を設定し、現在周波数をしきい値と比較して大きいか小さいかを判断する手段７３により判断し、現在周波数がしきい値より小さい場合は周波数上昇変更幅上限値ａ演算７４で算出し、現在周波数がしきい値より大きい場合は周波数上昇変更幅上限値ｂ演算７５で算出して周波数上昇変更幅上限値決定し、この周波数上昇変更幅上限値より小さい値で周波数変更値７７を決定する。
【００４８】
上記のことより、暖房運転時、室内熱交換器温度すなわち凝縮温度に応じたしきい値を設定することができ、上昇時のしきい値より小さい場合は要求能力変化に応じた周波数変更幅に設定することができしきい値より大きい場合は凝縮温度上限値近傍で圧縮機を能力制御する周波数変更幅に設定できる。
【００４９】
（実施の形態７）
図１及び図５より圧縮機運転能力制御方法の動作について説明する。能力可変型圧縮機1の周波数変更時、運転モード検知４１により現在の運転モードを認識し暖房運転時、室外熱交換器温度検知手段５１にて室外熱交換器温度を認識する。現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、周波数変更方向判断手段２５で判断して、上昇方向の変更時は、運転モードと室外熱交換器温度を入力としてしきい値を演算する手段５２によりしきい値を設定し、現在周波数をしきい値と比較して大きいか小さいかを判断する手段５３により判断し、現在周波数がしきい値より小さい場合は周波数上昇変更幅上限値ａ演算５４で算出し、現在周波数がしきい値より大きい場合は周波数上昇変更幅上限値ｂ演算５５で算出して周波数上
昇変更幅上限値決定し、この周波数上昇変更幅上限値より小さい値で周波数変更値５７を決定する。
【００５０】
上記のことより、暖房運転時、室外熱交換器温度すなわち蒸発温度に応じたしきい値を設定することができ、上昇時のしきい値より小さい場合は要求能力変化に応じた周波数変更幅に設定することができしきい値より大きい場合は蒸発温度下限値近傍で圧縮機を能力制御する周波数変更幅に設定できる。
【００５１】
（実施の形態８）
図８は本実施の形態における多室空気調和機の制御方法のフローチャートを示した図である。図８において、図１および図２、図３、図４と同じ構成要素については同じ符号を用い、説明を省略する。圧縮機周波数能力制御２１は、吸入圧力検知手段８１、運転モードと吸入圧力を入力としてしきい値を演算する手段８２、現在周波数をしきい値と比較して大きいか小さいかを判断する手段８３、しきい値より小さい現在周波数での周波数上昇変更幅上限値ａ演算手段８４、しきい値より大きい現在周波数での周波数上昇変更幅上限値ｂ演算手段８５、周波数変更値８７より構成されている。
【００５２】
図１及び図８より圧縮機運転能力制御方法の動作について説明する。能力可変型圧縮機1の周波数変更時、運転モード検知４１により現在の運転モードを認識し暖房運転時、吸入圧力検知手段８１にて吸入圧力を認識する。現在周波数検知手段１１により現在周波数を認識し、目標周波数演算手段１２で目標周波数を演算する。この目標周波数演算結果が現在周波数に対して上昇変更か下降変更かを周波数変更方向検知手段１３で識別し、周波数変更方向判断手段２５で判断して、上昇方向の変更時は、運転モードと吸入圧力を入力としてしきい値を演算する手段８２によりしきい値を設定し、現在周波数をしきい値と比較して大きいか小さいかを判断する手段８３により判断し、現在周波数がしきい値より小さい場合は周波数上昇変更幅上限値ａ演算８４で算出し、現在周波数がしきい値より大きい場合は周波数上昇変更幅上限値ｂ演算８５で算出して周波数上昇変更幅上限値決定し、この周波数上昇変更幅上限値より小さい値で周波数変更値８７を決定する。
【００５３】
上記のことより、暖房運転時、吸入圧力に応じたしきい値を設定することができ、上昇時のしきい値より小さい場合は要求能力変化に応じた周波数変更幅に設定することができしきい値より大きい場合は吸入圧力下限値近傍で圧縮機を能力制御する周波数変更幅に設定できる。
【産業上の利用可能性】
【００５４】
以上のように、本発明に係る多室空気調和機は、圧縮機周波数変更時の、上昇時には入力電流上限値近傍で圧縮機を能力制御することができ下降時には要求能力変化に応じた周波数変更ができるという効果を奏するので、１対１の空気調和機や、１体型空気調和機にも適用出来る。
【図面の簡単な説明】
【００５５】
【図１】本発明の第１の実施の形態を示す多室空気調和機の制御方法の冷凍サイクル図
【図２】本発明の第１の実施の形態の多室空気調和機の制御方法のフローチャート
【図３】本発明の第２の実施の形態を示す多室空気調和機の制御方法のフローチャート
【図４】本発明の第３の実施の形態を示す多室空気調和機の制御方法のフローチャート
【図５】本発明の第４及び第７の実施の形態を示す多室空気調和機の制御方法のフローチャート
【図６】本発明の第５の実施の形態を示す多室空気調和機の制御方法のフローチャート
【図７】本発明の第６の実施の形態を示す多室空気調和機の制御方法のフローチャート
【図８】本発明の第８の実施の形態を示す多室空気調和機の制御方法のフローチャート
【図９】従来の多室空気調和機の制御方法のブロック図
【符号の説明】
【００５６】
１  能力可変圧縮機
２  室外熱交換器
３  室外ファン
４  室外膨張弁
５  四方弁
６  インバータ回路
７  室内熱交換器
８  室内ファン
９  室内膨張弁
１０  複数の室内機
１１  現在周波数検知手段
１２  目標周波数検知手段
１３  周波数変更方向検知手段
１４  周波数変更幅上限値演算手段
１５  制御装置
１６  室外機
４１  運転モード検知手段
４２  外気温度検知手段
５１  室外熱交換器検知手段
６１  吐出圧力検知手段
７１  室内熱交換器温度検知手段
８１  吸入圧力検知手段
【図１】
2005114305.tif 000003
【図２】
2005114305.tif 000004
【図３】
2005114305.tif 000005
【図４】
2005114305.tif 000006
【図５】
2005114305.tif 000007
【図６】
2005114305.tif 000008
【図７】
2005114305.tif 000009
【図８】
2005114305.tif 000010
【図９】
2005114305.tif 000011